(57)【要約】【課題】本発明は無線周波数テストソケット及び無線周波数テストケーブルを開示し、無線周波数テストの技術分野に関する。【解決手段】本発明の無線周波数テスト方法は、第一テスト装置と第二テスト装置を、無線周波数テストソケットにおける第一テスト装置を接続する第一弾性装置と第二テスト装置を接続する第二弾性装置で接続するステップと、無線周波数テストケーブルの絶縁押しピンデバイスが、前記第二弾性装置を突き押すことによって、無線周波数テストソケットと第二テスト装置との接続を切断して、それによって前記無線周波数テストヘッドと前記第一弾性装置で第一テスト装置をテストするステップと、無線周波数テストケーブルの絶縁押しピンデバイスが、前記第一弾性装置を突き押すことによって、無線周波数テストソケットと第一テスト装置との接続を切断して、それによって前記無線周波数テストヘッドと前記第二弾性装置で第二テスト装置をテストするステップとを含む。
2017520141.tif 000002
【特許請求の範囲】
【請求項１】
無線周波数テストソケットであって、
無線周波数テストベースと、
前記無線周波数テストベース内に固定された接続装置と、
それぞれ前記接続装置に弾性接続されて前記無線周波数テストベース内に固定された第一弾性装置及び第二弾性装置と、
を備える無線周波数テストソケット。
【請求項２】
前記接続装置は、
金属片と、
前記金属片の下側の両端に設置された第一接触点及び第二接触点と、
を備える請求項１に記載の無線周波数テストソケット。
【請求項３】
前記第一弾性装置は前記接続装置の第一接触点に弾性接続され、前記第二弾性装置は前記接続装置の第二接触点に弾性接続される請求項２に記載の無線周波数テストソケット。
【請求項４】
無線周波数テストケーブルであって、
無線周波数テストラインの末端に固定された無線周波数テストプラグと、
前記無線周波数テストプラグの一側に取り付けられ且つ前記無線周波数テストプラグより長い絶縁押しピンデバイスと、
を備える無線周波数テストケーブル。
【請求項５】
携帯電話の無線周波数テスト装置であって、
請求項１−３に記載の無線周波数テストソケットと、
請求項４に記載の無線周波数テストケーブルと、
それぞれ無線周波数テストソケットにおける第一弾性装置と第二弾性装置によって接続された第一テスト装置と第二テスト装置として設置され、前記無線周波数テストケーブルと前記無線周波数テストソケットを使用してそれぞれテストするテストモジュールと、
を備える携帯電話の無線周波数テスト装置。
【請求項６】
前記テストモジュールは、
前記絶縁押しピンデバイスで前記第二弾性装置を突き押して、前記無線周波数テストケーブルと前記第二テスト装置との接続を切断し、同時に、前記無線周波数テストプラグによって前記接続装置に接続され、それによって前記第一弾性装置によって接続された前記第一テスト装置でテストするように設置される第一テストサブモジュール
を備える請求項５に記載の装置。
【請求項７】
前記テストモジュールは、
前記絶縁押しピンデバイスで前記第一弾性装置を突き押して、前記無線周波数テストケーブルと前記第一テスト装置との接続を切断し、同時に、前記無線周波数テストプラグによって前記接続装置に接続され、それによって、前記第二弾性装置に接続された前記第二テスト装置でテストするように設置される第二テストサブモジュール
を更に備える請求項５に記載の装置。
【請求項８】
前記絶縁押しピンデバイスは前記第二弾性装置を突き押す時に、前記第二弾性装置と前記接続装置の第二接触点との弾性接続を切断して、前記無線周波数テストケーブルと前記第一テスト装置を切断する請求項６に記載の装置。
【請求項９】
前記絶縁押しピンデバイスは前記第一弾性装置を突き押す時に、前記第一弾性装置と前記接続装置の第一接触点との弾性接続を切断して、前記無線周波数テストケーブルと前記第二テスト装置を切断する請求項７に記載の装置。
【請求項１０】
携帯電話の無線周波数テスト方法であって、
第一テスト装置と第二テスト装置を、無線周波数テストソケットにおける第一テスト装置を接続する第一弾性装置と第二テスト装置を接続する第二弾性装置で接続するステップと、
無線周波数テストケーブルの絶縁押しピンデバイスが、前記第二弾性装置を突き押すことによって、無線周波数テストソケットと第二テスト装置との接続を切断し、それによって、前記無線周波数テストヘッドと前記第一弾性装置で第一テスト装置をテストするステップと、
無線周波数テストケーブルの絶縁押しピンデバイスが、前記第一弾性装置を突き押すことによって、無線周波数テストソケットと第一テスト装置との接続を切断し、それによって、前記無線周波数テストヘッドと前記第二弾性装置で第二テスト装置をテストするステップと
を含む携帯電話の無線周波数テスト方法。
【発明の詳細な説明】
【技術分野】
【０００１】
本発明は、端末無線周波数テストの技術分野に関し、特に無線周波数テストソケット及び無線周波数テストケーブルに関する。
【背景技術】
【０００２】
従来、無線周波数テストソケットは、主に無線周波数ケーブルの電力及び感度をテストすることに用いられ、無線周波数テストケーブルを挿し込まない場合は、信号は両方向において流れることができ、図１に示されるように、矢印線は信号線、矢印方向は信号が流れる方向を示し、しかしながら、無線周波数テストケーブルを挿し込むと、信号は単方向しか導通できず、図２及び図３はそれぞれ無線周波数テストソケットと無線周波数テストケーブルの模式図を示す。図４に示されるように、無線周波数ケーブルの電力をテストする場合に、無線周波数テストケーブルを無線周波数テストソケットに接続すると、無線周波数テストソケットは単方向導通になり、無線周波数チップ側とのみ導通し、アンテナ側と遮断した状態であり、つまり、無線周波数テストケーブルを挿し込まない時に、無線周波数テストソケットにおける一つのリードは図中の破線が示す状態である。無線周波数テストケーブルを挿し込むと、無線周波数テストソケットにおけるリードは破線が示す状態から、下へ押されて実線が示す状態になる。
【０００３】
つまり、ＬＴＥ端末において、各無線周波数チップとアンテナの間に一つの無線周波数テストソケットが設置され、従来の無線周波数テストソケットは、無線周波数テストケーブルが挿し込まれた後、単方向導通になり、アンテナのＳ１１パラメータ又はスミス・チャートを測定する必要がある場合、無線周波数テストソケットを取り外して、無線周波数テストケーブルをマザーボードに溶接するしかない。このようにすると、下記欠点が存在する。
【０００４】
１、テストアンテナ受動治具を製作するのにマザーボードを破壊しなければならない。
【０００５】
２、通常、受動板と能動板に差異があるため、受動板で調整したアンテナの定常波が能動板でテストしたアンテナの特性に対応できない。
【０００６】
３、マザーボードの無線周波数マッチング又はマザーボードのメーカーを交換すると、改めて受動板を製造する必要があり、そのため多数のマザーボードが破壊されてしまう。
【発明の概要】
【発明が解決しようとする課題】
【０００７】
前記問題を解決するために、本発明の実施例は、無線周波数テストソケット及び無線周波数テストケーブルを提供する。
【０００８】
本発明の実施例は、無線周波数テストソケット及び無線周波数テストケーブルを提供し、関連技術では、マザーボードを破壊せずにアンテナ治具を製作する場合のアンテナの受動板と無線周波数能動板とを統合させるという課題を少なくとも解決する。
【課題を解決するための手段】
【０００９】
本発明の一実施例によれば、
無線周波数テストベースと、
前記無線周波数テストベース内に固定された接続装置と、
それぞれ前記接続装置に弾性接続されて前記無線周波数テストベース内に固定された第一弾性装置と及び第二弾性装置と
を備える無線周波数テストソケットを提供する。
【００１０】
前記接続装置は、
金属片と、
前記金属片の下側の両端に設置された第一接触点及び第二接触点と
を備える。
【００１１】
前記第一弾性装置は前記接続装置の第一接触点に弾性接続され、前記第二弾性装置は前記接続装置の第二接触点に弾性接続される。
【００１２】
本発明の別の実施例によれば、
無線周波数テストラインの末端に固定された無線周波数テストプラグと、
前記無線周波数テストプラグの一側に取り付けられ且つ前記無線周波数テストプラグより長い絶縁押しピンデバイスと
を備える無線周波数テストケーブルを提供する。
【００１３】
本発明のまた別の実施例によれば、
前記無線周波数テストソケットと、
前記無線周波数テストケーブルと、
それぞれ無線周波数テストソケットにおける第一弾性装置と第二弾性装置で接続された第一テスト装置と第二テスト装置として設置され、前記無線周波数テストケーブルと前記無線周波数テストソケットでそれぞれテストするテストモジュールと
を備える携帯電話の無線周波数テスト装置を提供する。
【００１４】
前記テストモジュールは、
前記絶縁押しピンデバイスで前記第二弾性装置を突き押して、前記無線周波数テストケーブルと前記第二テスト装置との接続を切断し、同時に、前記無線周波数テストプラグによって前記接続装置に接続され、それによって、前記第一弾性装置によって接続される前記第一テスト装置でテストするように設置される第一テストサブモジュール
を備える。
【００１５】
前記テストモジュールは、
前記絶縁押しピンデバイスで前記第一弾性装置を突き押して、前記無線周波数テストケーブルと前記第一テスト装置との接続を切断し、同時に、前記無線周波数テストプラグによって前記接続装置に接続され、それによって、前記第二弾性装置によって接続される前記第二テスト装置でテストするように設置される第二テストサブモジュール
を更に備える。
【００１６】
前記絶縁押しピンデバイスは前記第二弾性装置を突き押す時に、前記第二弾性装置と前記接続装置の第二接触点との弾性接続を切断し、前記無線周波数テストケーブルと前記第一テスト装置を切断する。
【００１７】
前記絶縁押しピンデバイスは前記第一弾性装置を突き押す時に、前記第一弾性装置と前記接続装置の第一接触点との弾性接続を切断し、前記無線周波数テストケーブルと前記第二テスト装置を切断する。
【００１８】
本発明の更なる実施例によれば、
第一テスト装置と第二テスト装置を無線周波数テストソケットにおける第一テスト装置を接続する第一弾性装置と第二テスト装置を接続する第二弾性装置で接続するステップと、
無線周波数テストケーブルの絶縁押しピンデバイスが、前記第二弾性装置を突き押すことによって、無線周波数テストソケットと第二テスト装置との接続を切断し、それによって、前記無線周波数テストヘッドと前記第一弾性装置で第一テスト装置をテストするステップと、
無線周波数テストケーブルの絶縁押しピンデバイスが、前記第一弾性装置を突き押すことによって、無線周波数テストソケットと第一テスト装置との接続を切断し、それによって、前記無線周波数テストヘッドと前記第二弾性装置で第二テスト装置をテストするステップとを含む携帯電話の無線周波数テスト方法を提供する。
【発明の効果】
【００１９】
関連技術に比べて、本発明の実施例は下記有益な効果を有する。
【００２０】
本発明の実施例は、無線周波数テストソケット及び無線周波数テストケーブルを介して、第一テストユニットと第二テストユニットを統合し、それによって、マザーボードを破壊せずにアンテナ治具を製作することができ、ユーザーエクスペリエンスを向上させる。
【図面の簡単な説明】
【００２１】
【図１】関連技術に係る無線周波数テストソケットの下面図である。
【図２】関連技術に係る無線周波数テストソケットの模式図である。
【図３】関連技術に係る無線周波数テストケーブルの模式図である。
【図４】関連技術に係る無線周波数テストソケット及び無線周波数テストケーブルの動作構成図である。
【図５】本発明に係る無線周波数テストソケットの模式図である。
【図６】本発明に係る無線周波数テストケーブルの模式図である。
【図７】本発明の実施例に係る携帯電話の無線周波数テスト装置の模式図である。
【図８】本発明の実施例に係る携帯電話の無線周波数テスト方法のフローチャートである。
【図９】本発明の実施例に係る無線周波数テストソケットによるテストの模式図である。
【図１０】本発明の実施例に係る無線周波数ケーブルの電力及び感度テストの模式図である。
【図１１】本発明の実施例に係る携帯電話アンテナの受動波形テストの模式図である。
【発明を実施するための形態】
【００２２】
以下、図面を利用して本発明の好適な実施例を詳細に説明するが、以下で説明する好適な実施例は本発明を説明して解釈するものに過ぎず、本発明を限定するものではない。
【００２３】
図５は、本発明に係る無線周波数テストソケットの模式図を示し、図５に示されるように、該無線周波数テストソケットは、無線周波数テストベースと、無線周波数テストケーブルに接続されるように設置されて前記無線周波数テストベース内に固定された接続装置と、それぞれ前記接続装置に弾性接続され、無線周波数テストケーブルと第一テスト装置及び第二テスト装置とを接続・切断するための、前記無線周波数テストベース内に固定された第一弾性装置及び第二弾性装置とを備える。前記接続装置は、金属片と、前記金属片の下側の両端に設置された第一接触点及び第二接触点とを備える。前記第一弾性装置は前記接続装置の第一接触点に弾性接続され、前記第二弾性装置は前記接続装置の第二接触点に弾性接続される。
【００２４】
図６は、本発明に係る無線周波数テストケーブルの模式図を示し、図６に示されるように、該無線周波数テストケーブルは、前記無線周波数テストソケットの接続装置に接続されるように設置されて無線周波数テストラインの末端に固定された無線周波数テストプラグと、前記無線周波数テストソケットにおける第一弾性装置又は第二弾性装置を突き押すように設置され、前記無線周波数テストプラグの一側に取り付けられ且つ前記無線周波数テストプラグより長い絶縁押しピンデバイスとを備える。
【００２５】
図７は、本発明の実施例に係る携帯電話の無線周波数テスト装置の模式図を示し、図７に示されるように、該携帯電話の無線周波数テスト装置は、前記無線周波数テストソケット７０１と、前記無線周波数テストケーブル７０２と、それぞれ無線周波数テストソケットにおける第一弾性装置と第二弾性装置によって接続された第一テスト装置と第二テスト装置として設置され、前記無線周波数テストケーブルと前記無線周波数テストソケットでそれぞれテストするテストモジュール７０３とを備える。具体的には、前記テストモジュール７０３は、第一テストサブモジュールと、第二テストサブモジュールとを備え、前記第一テストサブモジュールは、前記押しピンデバイスで前記第二弾性装置を突き押して、前記無線周波数テストケーブルと前記第二テスト装置との接続を切断し、同時に、前記無線周波数テストプラグによって前記接続装置に接続され、それによって、前記第一弾性装置によって接続された前記第一テスト装置でテストするように設置され、具体的には、前記絶縁押しピンデバイスは前記第二弾性装置を突き押す時に、前記第二弾性装置と前記接続装置の第二接触点との弾性接続を切断し、前記無線周波数テストケーブルと前記第一テスト装置とを切断する。前記第二テストサブモジュールは、前記押しピンデバイスで前記第一弾性装置を突き押して、前記無線周波数テストケーブルと前記第一テスト装置との接続を切断し、同時に、前記無線周波数テストプラグによって前記接続装置に接続され、それによって、前記第二弾性装置によって接続された前記第二テスト装置でテストするように設置され、具体的には、前記絶縁押しピンデバイスは前記第一弾性装置を突き押す時に、前記第一弾性装置と前記接続装置の第一接触点との弾性接続を切断し、前記無線周波数テストケーブルと前記第二テスト装置を切断する。
【００２６】
図８は、本発明の実施例に係る携帯電話の無線周波数テスト方法のフローチャートを示し、図８に示されるように、該方法は、
第一テスト装置と第二テスト装置を、無線周波数テストソケットにおける第一テスト装置を接続する第一弾性装置と第二テスト装置を接続する第二弾性装置で接続するステップＳ８０１と、
無線周波数テストケーブルの絶縁押しピンデバイスが、前記第二弾性装置を突き押すことによって、無線周波数テストソケットと第二テスト装置との接続を切断し、それによって、前記無線周波数テストヘッドと前記第一弾性装置で第一テスト装置をテストするステップＳ８０２と、
無線周波数テストケーブルの絶縁押しピンデバイスが、前記第一弾性装置を突き押すことによって、無線周波数テストソケットと第一テスト装置との接続を切断し、それによって、前記無線周波数テストヘッドと前記第二弾性装置で第二テスト装置をテストするステップＳ８０３とを含む。
【００２７】
図９は、本発明の実施例に係る無線周波数テストソケットによるテストの模式図を示し、図９に示されるように、一側のリードが硬質プラスチック押しピンにより押された時に、中間金属片と切断して、このようにしてこの一方の信号は切断し、他方の信号は無線周波数テストケーブルに導通する。
【００２８】
図１０は、本発明の実施例に係る無線周波数ケーブルの電力及び感度テストの模式図を示し、図１０に示されるように、第一方向に沿って、無線周波数テストケーブルを無線周波数テストソケットに挿し込んで、前記無線周波数テストケーブルの無線周波数テストプラグと前記無線周波数テストソケットの金属片とを接触させ、更に前記無線周波数テストケーブルの絶縁ピンで前記無線周波数テストソケットの第二リードを下へ押し、前記無線周波数テストプラグと前記金属片を接触させ、更に前記絶縁押しピンで前記第二リードを下へ押し、前記無線周波数テストソケットと前記携帯電話アンテナとの接続を切断し、更に前記無線周波数テストケーブルを前記第一リードで前記無線周波数送受信機に接続し、前記無線周波数送受信機をテストする。つまり、携帯電話のアンテナに接続された無線周波数テストソケットにおける第二リードが押されて、前記第二リードと無線周波数テストソケットにおける金属片を切断し、それによって、前記無線周波数テストケーブルを前記第一リードで前記無線周波数送受信機に接続し、前記無線周波数送受信機をテストする。
【００２９】
図１１は、本発明の実施例に係る携帯電話アンテナの受動波形テストの模式図を示し、図１１に示されるように、第二方向に沿って、無線周波数テストケーブルを無線周波数テストソケットに挿し込んで、前記無線周波数テストケーブルの無線周波数テストプラグと前記無線周波数テストソケットの金属片を接触させ、更に、前記無線周波数テストケーブルの絶縁押しピンで前記無線周波数テストソケットの第一リードを下へ押し、前記無線周波数テストプラグと前記金属片を接触させ、且つ前記絶縁押しピンで前記第一リードを下へ押し、前記無線周波数テストソケットと前記無線周波数送受信機との接続を切断し、更に前記無線周波数テストケーブルを前記第二リードで前記携帯電話のアンテナに接続して、前記携帯電話のアンテナをテストする。つまり、前記無線周波数送受信機に接続された無線周波数テストソケットにおける第一リードが押され、前記第一リードと無線周波数テストソケットにおける金属片が切断し、前記無線周波数テストケーブルを前記第二リードで前記携帯電話のアンテナに接続して、前記携帯電話のアンテナのＳ１１とＳｍｉｔｈチャートをテストする。
【００３０】
また、本発明の実施例は無線周波数テストラインを他の一方向へ回転させるだけで、図１０と図１１の２種類の状態を実現できる。
【００３１】
以上のように、本発明の実施例は以下の技術的効果を有する。
【００３２】
本発明の実施例は、新型無線周波数テストソケットとそれと組み合わせる無線周波数テストケーブルを使用して、アンテナ受動板と無線周波数能動板を統合させて、マザーボードを破壊せずにアンテナ治具を製造することができる。
【００３３】
以上、本発明について詳細に説明したが、本発明はこれらに限定されるものではなく、当業者は本発明の原理に基づいて様々な変形を行うことができる。従って、本発明の原理に基づいて行った変形は、本発明の保護範囲に属すると理解できるだろう。
【産業上の利用可能性】
【００３４】
以上に述べたとおり、本発明の実施例に係る無線周波数テストソケット及び無線周波数テストケーブルによれば、第一テストユニットと第二テストユニットを統合させて、マザーボードを破壊せずにアンテナ治具を製作し、ユーザーエクスペリエンスを向上させるという有益な効果を有する。
【図１】
2017520141.tif 000003
【図２】
2017520141.tif 000004
【図３】
2017520141.tif 000005
【図４】
2017520141.tif 000006
【図５】
2017520141.tif 000007
【図６】
2017520141.tif 000008
【図７】
2017520141.tif 000009
【図８】
2017520141.tif 000010
【図９】
2017520141.tif 000011
【図１０】
2017520141.tif 000012
【図１１】
2017520141.tif 000013
【国際調査報告】
2017520141.tif 000014
2017520141.tif 000015
2017520141.tif 000016
2017520141.tif 000017